(57)【要約】【課題】携帯端末機の操作性を向上させる。【解決手段】携帯電話機１Ａは、下部筐体３の内面６に開口部７が形成され、開口部７にキー操作部８が設けられる。キー操作部８は、携帯電話機１Ａにおける左右方向の大きさが、開口部７より小さくなっている。開口部７の内周面７ａに形成された溝部にキー操作部８の端面８ａに設けられた突起を挿入することで、キー操作部８は、開口部７内を携帯電話機１Ａの左右方向に沿って移動可能となっている。そのため、キー操作部８を使用者が操作し易い位置に配置することができる。開口部７に、さらに第２の開口部を備え、ジョイスティックを適宜使用可能とする構成をとる。【選択図】図１
2009033700.tif 000002
【特許請求の範囲】
【請求項１】
所定面に開口部が形成された筐体と、
前記開口部に設けられた入力部と
を有し、
前記入力部は、前記所定面に沿った一の方向の大きさが前記開口部より小さく、前記開
口部内を前記一の方向に移動可能にして設けられた
携帯端末機。
【請求項２】
前記開口部は、前記一の方向に沿って形成された対向する１対の内周面を有し、
前記入力部は、前記開口部の前記１対の内周面に対向する前記一の方向に沿って形成さ
れた端面を有し、
対向する前記内周面及び前記端面のいずれか一方に前記一の方向に沿って溝部が形成さ
れ、他方に前記溝部に挿入される突起が設けられた
請求項１に記載の携帯端末機。
【請求項３】
前記溝部には、前記一の方向に沿って複数の凹部が形成され、前記突起が当該複数の凹
部のいずれか１つに収まることにより、前記入力部が固定される
請求項２に記載の携帯端末機。
【請求項４】
前記入力部は、複数の部分に分かれており、前記複数の部分が独立して前記一の方向に
沿って移動可能に構成されている
請求項１〜３のいずれか一項に記載の携帯端末機。
【請求項５】
前記開口部は、前記一の方向に沿って形成された対向する１対の内周面を有し、
前記入力部は、前記開口部の前記１対の内周面に対向する前記一の方向に沿って形成さ
れた端面を有するとともに、前記一の方向に沿って形成された端面によって分けられた複
数の部分からなり、
対向する前記開口部の内周面と前記入力部の端面、及び前記複数の部分の対向する端面
同士が磁力により結合されることで、前記入力部は前記複数の部分の配置を変更可能であ
る
請求項１に記載の携帯端末機。
【請求項６】
前記開口部において、前記入力部の裏面側に第２入力部が設けられた
請求項１〜５のいずれか一項に記載の携帯端末機。
【請求項７】
前記第２入力部がタッチパッドである
請求項６に記載の携帯端末機。
【請求項８】
前記入力部を前記一の方向に沿って移動することによって前記突起が接触し、当該接触
によって操作される第３入力部を有する
請求項２〜７のいずれか一項に記載の携帯端末機。
【請求項９】
前記第３入力部への操作に応じて、前記入力部の機能が変更される
請求項８に記載の携帯端末機。
【請求項１０】
前記突起は、前記開口部の前記対向する１対の内周面と対向する前記入力部の端面のそ
れぞれにおいて、少なくとも前記一の方向に対して両端に設けられ、
前記溝部は、前記開口部の前記１対の内周面のそれぞれに形成され、前記所定面側に前
記突起が通って前記溝部から外れるための切欠部を有し、
一端の前記突起を前記溝部に配置し、他の前記突起を前記切欠部より前記溝部から外す
ことで、前記入力部が前記一端の突起を中心として回転可能である
請求項２〜４及び６〜９のいずれか一項に記載の携帯端末機。
【請求項１１】
前記入力部の回転によって、前記入力部の機能が変更される
請求項１０に記載の携帯端末機。
【請求項１２】
前記開口部の一部に、さらに第２の開口部を有し、該第２の開口部はジョイスティックと接続可能である
請求項１〜４及び６〜１１のいずれか一項に記載の携帯端末機。
【発明の詳細な説明】
【技術分野】
【０００１】
本発明は、携帯端末機に関する。特に本発明は、入力部が筐体において移動可能な携帯
端末機に関する。
【背景技術】
【０００２】
携帯電話機やＰＤＡ（personal digital assistant）などの携帯端末機では、入力部の
操作キーを指で押して操作するものが広く用いられている。この操作キーは筐体に固定さ
れて設けられており、通常、右手及び左手のいずれのでも操作できるように携帯端末機に
バランス良く配置されている。
【０００３】
また、携帯端末機でインターネットや電子メールなどを使用することが多くなることに
伴い、扱う情報量の多さから表示画面が大きくなる傾向にある。携帯端末機では、表示画
面が大きくなることで、入力部が大きくなる。例えば、表示画面の下側に入力部が設けら
れる場合、入力部の幅は、表示画面の幅と一緒に大きくなる。
【発明の開示】
【発明が解決しようとする課題】
【０００４】
しかし、操作キーが筐体に固定されていることから、人によっては手の大きさなどによ
り特定の操作キーが操作しにくい位置に配置されていることで、携帯端末機の操作性が悪
いという問題があった。
【０００５】
また、表示画面が大きくなることに伴って入力部が大きくなることで、指が届きにくい
操作キーが生じ、携帯端末機の操作性が低下するという問題があった。これにより、表示
画面は、携帯端末機の操作性の面から大きくすることに限界があった。
【０００６】
そのため、携帯端末機において、操作性を向上させることが要望されている。
【課題を解決するための手段】
【０００７】
本発明の携帯端末機は、所定面に開口部が形成された筐体と、前記開口部に設けられた
入力部とを有し、前記入力部は、前記所定面に沿った一の方向の大きさが前記開口部より
小さく、前記開口部内を前記一の方向に移動可能にして設けられる。
【０００８】
好ましくは、前記開口部は、前記一の方向に沿って形成された対向する１対の内周面を
有し、前記入力部は、前記開口部の前記１対の内周面に対向する前記一の方向に沿って形
成された端面を有し、対向する前記内周面及び前記端面のいずれか一方に前記一の方向に
沿って溝部が形成され、他方に前記溝部に挿入される突起が設けられる。
【０００９】
好ましくは、前記溝部には、前記一の方向に沿って複数の凹部が形成され、前記突起が
当該複数の凹部のいずれか１つに収まることにより、前記入力部が固定される。
【００１０】
好ましくは、前記入力部は、複数の部分に分かれており、前記複数の部分が独立して前
記一の方向に沿って移動可能に構成されている。
【００１１】
好ましくは、前記開口部は、前記一の方向に沿って形成された対向する１対の内周面を
有し、前記入力部は、前記開口部の前記１対の内周面に対向する前記一の方向に沿って形
成された端面を有するとともに、前記一の方向に沿って形成された端面によって分けられ
た複数の部分からなり、対向する前記開口部の内周面と前記入力部の端面、及び前記複数
の部分の対向する端面同士が磁力により結合されることで、前記入力部は前記複数の部分
の配置を変更可能である。
【００１２】
好ましくは、上記携帯端末機は、前記開口部において、前記入力部の裏面側に第２入力
部が設けられる。
【００１３】
好ましくは、上記携帯端末機は、前記第２入力部がタッチパッドである。
【００１４】
好ましくは、上記携帯端末機は、前記入力部を前記一の方向に沿って移動することによ
って前記突起が接触し、当該接触によって操作される第３入力部を有する。
【００１５】
好ましくは、上記携帯端末機は、前記第３入力部への操作に応じて、前記入力部の機能
が変更される。
【００１６】
好ましくは、前記突起は、前記開口部の前記対向する１対の内周面と対向する前記入力
部の端面のそれぞれにおいて、少なくとも前記一の方向に対して両端に設けられ、前記溝
部は、前記開口部の前記１対の内周面のそれぞれに形成され、前記所定面側に前記突起が
通って前記溝部から外れるための切欠部を有し、一端の前記突起を前記溝部に配置し、他
の前記突起を前記切欠部より前記溝部から外すことで、前記入力部が前記一端の突起を中
心として回転可能である。
【００１７】
好ましくは、上記携帯端末機は、前記入力部の回転によって、前記入力部の機能が変更
される。
【００１８】
好ましくは、上記携帯端末機は、前記開口部の一部に、さらに第２の開口部を有し、該第２の開口部はジョイスティックとの接続が可能である。
【発明の効果】
【００１９】
本発明の携帯端末機によれば、入力部が移動することで、携帯端末機の操作性を向上さ
せることができる。
【発明を実施するための最良の形態】
【００２０】
（第１実施の形態）
図１を参照して、本発明の第１実施の形態である携帯電話機１Ａについて述べる。図１
は、携帯電話機１Ａの斜視図である。携帯電話機１Ａは折り畳み式構造であり、図１では
開いた状態の携帯電話機１Ａの内面側が示されている。
【００２１】
携帯電話機１Ａの構成について、説明する。
【００２２】
携帯電話機１Ａは、上部筐体２、下部筐体３、及び上部筐体２と下部筐体３とを回転可
能に結合するヒンジ部４を有する。ここで、下部筐体３は、本発明における筐体の一例で
ある。携帯電話機１Ａは、ヒンジ部４を支点として上部筐体２及び下部筐体３を回転させ
、図１で示される側を内側にして、折り畳み可能となっている。
【００２３】
上部筐体２には、内面に表示画面５が備えられる。表示画面５は、例えば液晶画面であ
る。
【００２４】
下部筐体３は、平面の内面６を有し、内部に空間が形成されている。ここで、内面６は
、本発明の携帯端末機における筐体の所定面の一例である。内面６には、内部の空間を開
口する矩形の開口部７が形成される。開口部７は、携帯電話機１Ａの左右方向（図１に示
すＸ方向。以下同じ。なお、以下単に「左右方向」という。）に沿って形成された対向す
る１対の内周面７ａを有する。ここで、左右方向は、本発明の携帯端末機における一の方
向の一例である。
【００２５】
開口部７には、キー操作部８が設けられる。ここで、キー操作部８は、本発明における
入力部の一例である。キー操作部８は矩形の平面を有し、この平面に機能キー操作部９と
テンキー操作部１０とを有する。機能キー操作部９は、方向キーや決定キーなどの操作キ
ーからなる。テンキー操作部１０は、文字や数値の入力キーなどからなる。キー操作部８
は、携帯電話機１Ａの上下方向（図１に示すＹ方向。以下同じ。なお、以下単に「上下方
向」という。）において開口部７と略同一の大きさであるが、左右方向において開口部７
の大きさよりも小さくなっている。
【００２６】
キー操作部８は、左右方向に沿って形成された、開口部７の１対の内周面７ａに対向す
る端面８ａを有する。
【００２７】
キー操作部８は、開口部７内を左右方向に移動可能となっているが、これについての詳
しい構造については後述する。
【００２８】
キー操作部８の裏面側には、タッチパッド１１が設けられる。ここで、タッチパッド１
１は、本発明の携帯端末機における第２入力部の一例である。タッチパッド１１は、開口
部７を塞いで下部筐体３に固定される。キー操作部８が開口部７の大きさより小さいこと
から、タッチパッド１１は、キー操作部８に覆われていない部分が露出する。タッチパッ
ド１１の露出部分は、キー操作部８が左右方向に移動することで変化する。
【００２９】
タッチパッド１１は、露出した表面を指でなぞると、指に蓄積された電荷により指の軌
跡を検出する。これにより、指の軌跡に連動させて携帯電話機１Ａを操作することができ
る。タッチパッド１１としては、ノートパソコンなどで一般に使用されている物を用いる
ことができる。
【００３０】
図２（Ａ）〜（Ｃ）を参照して、携帯電話機１Ａの内部構造について述べる。図２（Ａ
）は、携帯電話機１Ａの部分分解図である。図２（Ｂ）は、図１のIIｂ−IIｂ断面図であ
る。図２（Ｃ）は、図２（Ｂ）のIIｃ−IIｃ断面図である。
【００３１】
図２（Ｂ）のとおり、下部筐体３の内部の空間１２では、携帯電話機１Ａを制御する回
路基板１３が下部筐体３に固定されている。回路基板１３は、空間１２に配置される図示
省略するバッテリーと接続される。空間１２を開口する開口部７は、タッチパッド１１が
下部筐体３に取り付けられることで塞がれる。タッチパッド１１は、回路基板１３と図示
省略する配線によって電気的に接続される。
【００３２】
タッチパッド１１には、キー操作部８が左右方向に移動した状態で露出することがない
位置に、貫通孔１１ａが形成される。タッチパッド１１の表面側にはキー操作部８が設け
られ、キー操作部８と回路基板１３とは、タッチパッド１１の貫通孔１１ａを通った可撓
性を有するフレキシブルケーブル１４によって電気的に接続される。
【００３３】
図２（Ｃ）のとおり、開口部７の内周面７ａには、左右方向に延びる溝部７ｂが設けら
れる。溝部７ｂには、左右方向に沿って設けられた複数の凸部８ｃによって、複数の凹部
８ｄが形成される。凹部８ｄには、複数のスイッチ１５がスイッチ部を溝部７ｂに突出さ
せて設けられる。ここで、スイッチ１５は、本発明における第３入力部の一例である。
【００３４】
また、キー操作部８には、それぞれの端面８ａに左右方向に沿って複数の突起８ｂが設
けられる。突起８ｂは、端面８ａ同士で左右方向に対する位置が同一になるようにして設
けられる。ここでは、それぞれの端面８ａにおいて、２つの突起８ｂが左右方向に対して
両端に設けられている。
【００３５】
そして、開口部７の溝部７ｂにキー操作部８の突起８ｂが挿入されることで、キー操作
部８は開口部７に設けられる。この時、キー操作部８の突起８ｂが溝部７ｂの凹部８ｄに
収まることによって、開口部７においてキー操作部８は固定される。
【００３６】
携帯電話機１Ａの動作について、説明する。
【００３７】
キー操作部８に左右方向の力を加えると、開口部７の溝部７ｂに設けられた凸部８ｃ及
びキー操作部８の突起８ｂが接触して撓み、突起８ｂは凸部８ｃを乗り越えて隣接する凹
部８ｄに移動する。これにより、キー操作部８は、開口部７内を左右方向に移動し、凹部
８ｄにおいて固定される。そして、キー操作部８を移動させて、複数の凹部８ｄのうちの
いずれか１つを選択することで、キー操作部８を開口部７において所望の位置に固定する
ことができる。
【００３８】
この時、キー操作部８を移動させても、フレキシブルケーブル１４が撓むことでキー操
作部８と回路基板１３との電気的接続が維持される。
【００３９】
また、キー操作部８の操作に加えて、タッチパッド１１の露出部を指で操作することに
よって、携帯電話機１Ａが操作される。例えば、タッチパッド１１を操作することで、上
部筐体２の表示画面５において、指の軌跡に連動させて画像をスクロールさせたり、ポイ
ンタを移動させたりすることができる。
【００４０】
さらに、キー操作部８を移動させることで、キー操作部８の突起８ｂに押されてスイッ
チ１５が入ることを用いて、携帯電話機１Ａが操作される。例えば、それぞれのスイッチ
１５に、インターネット、メール、カメラ及びゲームなどのソフトウェアの起動が割り当
てられており、キー操作部８を移動させてスイッチ１５を選択し、機能キー９の決定キー
を押すことで所望のソフトウェアを起動させる。なお、この場合には選択されているスイ
ッチ１５の内容を、表示画面５に表示することが好ましい。
【００４１】
なお、キー操作部８の移動により携帯電話機１Ａを操作した後は、再度、キー操作部８
を元の位置に戻すことで、所望のキー操作部８の位置で携帯電話機１Ａを操作することが
できる。
【００４２】
また、キー操作部８の移動によりスイッチ１５が入ることを用いて、キー操作部８の機
能を変更することもできる。例えば、スイッチ１５ごとに、かな、カタカナ、アルファベ
ット及び数字などの入力文字の切り替えが割り当てられており、上記と同様にキー操作部
８を移動させてスイッチ１５を選択し、機能キー９の決定キーを押すことで、所望の入力
文字に切り替える。この場合にも、選択されているスイッチ１５の内容を、表示画面５に
表示することが好ましい。
【００４３】
以上、携帯電話機１Ａの構成及び動作について述べた。
【００４４】
このように、キー操作部８を移動可能にすることで、使用者の操作し易い位置にキー操
作部８を配置可能であるため、携帯電話機１Ａの操作性が向上する。
【００４５】
また、表示画面５を大きくした場合においても、キー操作部８を指が届く位置に移動さ
せることができることから、携帯電話機１Ａの操作性が向上する。すなわち、携帯電話機
１Ａは、キー操作部８を移動させることで操作性が低下することがないため、操作性の面
から制限されていた表示画面５の大きさを、従来よりも大きくすることが可能である。
【００４６】
さらに、キー操作部８の裏面側にタッチパッド１１を設けることにより、キー操作部８
を移動させるために空いた部分を利用して、携帯電話機１Ａの操作性をさらに向上させる
ことができる。
【００４７】
加えて、携帯電話機１Ａでは、キー操作部８の移動によって携帯電話機１Ａを操作する
ことで、キー操作部８の移動を利用して携帯電話機１Ａの操作性を向上させることができ
る。また、メールソフトの起動などのように従来専用キーが設けられていた操作をキー操
作部８の移動による操作に割り当てることで、これらの専用キーが不要になり、キー操作
部８における操作キーの数を削減することができる。
【００４８】
なお、携帯電話機１Ａでは、キー操作部８を移動可能にすることでキー操作部８が小さ
くなるため、部品費を低減することができる。
【００４９】
なお、本発明の携帯端末機における第２入力部はタッチパッド１１に限定されず、タッ
チパネル又はキー操作部などの他の入力手段にすることができる。
【００５０】
例えば、第２入力部をタッチパネルにした場合には、入力用のペン（スタイラス）によ
ってタッチパネルの表示項目を選択したり、直接文字の入力をしたりすることにより、携
帯電話機を操作することができる。
また、本発明の携帯端末機における入力部についてもキー操作部８に限定されず、タッチ
パネル又はタッチパッドなどの他の入力手段にすることができる。
【００５１】
上述した携帯電話機１Ａでは、開口部７の内周面７ａに溝部７ｂを形成し、キー操作部
８の端面８ａに突起８ｂを設けたが、これらを逆として、開口部７の内周面７ａに突起を
設け、キー操作部８の端面８ａに溝部を形成することも可能である。
（第１実施の形態の第１変形態様）
図３を参照して、本発明の第１実施の形態の第１変形態様である携帯電話機１Ｂについ
て、図１に示した第１実施の形態の携帯電話機１Ａとの相違を中心に述べる。
【００５２】
図３は、本発明の第１実施の形態の第１変形態様である携帯電話機１Ｂの斜視図である
。
【００５３】
携帯電話機１Ｂは、下部筐体３に形成された矩形の開口部７にキー操作部２１が設けら
れる。開口部７は、上下方向に沿って形成された対向する１対の内周面７ｃを有する。
【００５４】
キー操作部２１は、本発明の携帯端末機における入力部の一例である。キー操作部２１
は、左右方向において開口部７と略同一の大きさであるが、上下方向において開口部７の
大きさよりも小さくなっている。そのため、携帯電話機１Ｂでは、上下方向が本発明の携
帯端末機における一の方向となっている。
【００５５】
キー操作部２１は、上下方向に沿って形成された、開口部７の１対の内周面７ｃに対向
する端面２１ａを有する。対向する開口部７の内周面７ｃとキー操作部２１の端面２１ａ
とは、図２（Ｃ）で示した構成と同一の構成となっている。そのため、ここでは図２（Ｃ
）の説明を参照して、説明を省略する。
【００５６】
これにより、キー操作部２１は、開口部７内を上下方向に移動可能となっている。
【００５７】
このように、本発明では、入力部の移動方向を入力部の形状により設定することが可能
である。
（第１実施の形態の第２変形態様）
図４（Ａ）、（Ｂ）を参照して、本発明の第１実施の形態の第２変形態様である携帯電
話機１Ｃについて、図１に示した第１実施の形態の携帯電話機１Ａとの相違を中心に述べ
る。
【００５８】
図４（Ａ）は、本発明の第１実施の形態の第２変形態様である携帯電話機１Ｃの斜視図
である。図４（Ｂ）は、図４（Ａ）におけるIVｂ−IVｂ断面図である。
【００５９】
携帯電話機１Ｃは、下部筐体３に形成された矩形の開口部７にキー操作部３１が設けら
れる。開口部７は、左右方向に沿って形成された対向する１対の内周面７ａ−１、７ａ−
２を有する。ここで、上下方向に沿って上側が内周面７ａ−１、下側が内周面７ａ−２で
ある。
【００６０】
キー操作部３１は、本発明の携帯端末機における入力部の一例である。キー操作部３１
は、左右方向に沿って形成された端面３２ｂ、３３ｂによって分けられた複数の部分から
なり、上下方向に沿って上側に第１の部分３２、下側に第２の部分３３を有する。キー操
作部３１の上下方向の大きさは、第１の部分３２及び第２の部分３３の大きさを合わせた
大きさであり、開口部７の大きさと略同一である。キー操作部３１の左右方向の大きさは
、第１の部分３２及び第２の部分３３の大きさであり、両方とも開口部７の大きさよりも
小さくなっている。そのため、携帯電話機１Ｃでは、左右方向が本発明の携帯端末機にお
ける一の方向である。
【００６１】
キー操作部３１の第１の部分３２には、機能キー操作部９が配置される。第１の部分３
２は、左右方向に沿って形成された端面３２ａ、３２ｂを有する。端面３２ａは、開口部
７の内周面７ａ−１と対向する。端面３２ｂは、第２部分３３の端面３３ｂと対向する。
【００６２】
キー操作部３１の第２の部分３３には、テンキー操作部１０が配置される。第２の部分
３３は、左右方向に沿って形成された端面３３ａ、３３ｂを有する。端面３３ａは、開口
部７の内周面７ａ−２と対向する。第２部分３３の端面３３ｂは、上述したとおり第１の
部分３２の端面３２ｂと対向する。
【００６３】
開口部７の内周面７ａ−１及び第１の部分３２の端面３２ａ、並びに開口部７の内周面
７ａ−２及び第２の部分３３の端面３３ａは、図２（Ｃ）で示した構成と同一の構成であ
る。そのため、ここでは図２（Ｃ）の説明を参照して、説明を省略する。
【００６４】
ただし、携帯電話機１Ｃでは、スイッチ１５が開口部７の両方の内周面７ａ−１、７ａ
−２の溝部７ｂに設けられている。
【００６５】
図４（Ｂ）に示すとおり、第１の部分３２の端面３２ｂには、突出部３２ｃが設けられ
る。突出部３２ｃは、端面３２ｂの全長に亘り左右方向に沿って連続して形成される。ま
た、第２の部分３３の端面３３ｂには、突出部３２ｃの形状に対応した溝部３３ｃが左右
方向に沿って形成される。そして、第２の部分３３の溝部３３ｃに第１の部分３２の突出
部３２ｃが挿入される。ここで、突出部３２ｃと溝部３３ｃとは、これらの間に間隙が形
成される大きさにされる。
【００６６】
携帯電話機１Ｃの動作を、図４（Ａ）、（Ｂ）及び図２（Ｃ）を参照して説明する。
【００６７】
携帯電話機１Ｃにおいて、例えば、第１の部分３２に左右方向の力を加えると、上述し
た携帯電話機１Ａと同様に、第１の部分３２の端面３２ａに設けられた突起８ｂが開口部
７の内周面７ａ−１に形成された溝部７ｂを移動する。また、第１の部分３２の端面３２
に形成された突出部３２ｃが、第２の部分３３の端面３３ｂに形成された溝部３３ｃを移
動する。これによって、第１の部分３２は、開口部７内を左右方向に沿って移動する。そ
して、第１の部分３２は、端面３２ａに設けられた突起８ｂが、開口部７の内周面７ａ−
１に形成された溝部７ｂにおける複数の凹部８ｄのいずれか１つに収められることによっ
て固定される。
【００６８】
第２の部分３３についても、同様である。
【００６９】
そして、スイッチ１５が開口部７の両方の内周面７ａ−１、７ａ−２の溝部７ｂに設け
られていることから、第１の部分３２及び第２の部分３３のそれぞれの移動によって、上
述した携帯電話機１Ａと同様にして、携帯電話機１Ｃを操作することが可能である。
【００７０】
なお、第１の部分３２の端面３２ｂにおいて、突出部３２ｃを端面３２ｂの全長に亘り
左右方向に沿って連続して形成することで、第１の部分３２の端面３２ｂと第２の部分３
３の端面３３ｂとの結合部分が少なくなった場合であっても、第１の部分３２と第２の部
分３３とが確実に結合される。
【００７１】
このように、キー操作部３１は、第１の部分３２と第２の部分３３とが左右方向に沿っ
て独立して移動可能となっているため、キー操作部３１の部分ごとに操作し易い位置に配
置することができるため、携帯電話機１Ｃの操作性が向上する。
【００７２】
また、第１の部分３２及び第２の部分３３、それぞれの移動によって携帯電話機１Ｃを
操作することが可能であるため、携帯電話機１Ｃの操作性がさらに向上する。
【００７３】
なお、携帯電話機１Ｃでは、第１の部分３２と第２の部分３３とで、左右方向の大きさ
を変えることも可能である。また、キー操作部３１を左右方向に沿って形成した端面によ
って、３つ以上の部分に分けることも可能である。さらに、キー操作部３１を、上下方向
で複数の部分に分けることも可能である。
（第１実施の形態の第３変形態様）
図５を参照して、本発明の第１実施の形態の第３変形態様である携帯電話機１Ｄについ
て、図３に示した第１実施の形態の第１変形態様の携帯電話機１Ｂとの相違を中心に述べ
る。
【００７４】
図５は、本発明の第１実施の形態の第３変形態様である携帯電話機１Ｄの斜視図である
。
【００７５】
携帯電話機１Ｄは、下部筐体３に形成された矩形の開口部７にキー操作部４１が設けら
れる。携帯電話機１Ｄは、キー操作部４１が左右方向に沿って形成された端面４２ｂ、４
３ｂによって、第１の部分４２及び第２の部分４３の複数の部分に分かれている点が、携
帯電話機１Ｂと相違する。
【００７６】
また、携帯電話機１Ｄでは、上下方向が本発明の携帯端末機における一の方向となるが
、キー操作部４１は、左右方向に沿って形成された端面４２ｂ、４３ｂによって分けられ
ている点が、本発明の第１実施の形態の第２変形態様である携帯電話機１Ｃと相違する。
【００７７】
なお、キー操作部４１の開口部７への取り付けについては、上述した携帯電話機１Ｂの
構成と同一の構成であるため、説明を省略する。
【００７８】
これにより、キー操作部４１は、第１の部分４２及び第２の部分４３の複数の部分を、
それぞれ上下方向に沿って独立して移動可能である。そのため、キー操作部４１の部分ご
とに操作し易い位置にすることができるため、携帯電話機１Ｄの操作性が向上する。
（第２実施の形態）
図６（Ａ）〜（Ｃ）を参照して、本発明の第２実施の形態である携帯電話機１Ｅについ
て、図４に示した第１実施の形態の第１変形態様の携帯電話機１Ｃとの相違を中心に述べ
る。
【００７９】
図６（Ａ）は、本発明の第２実施の形態の携帯電話機１Ｅにおける第１の状態を示す斜
視図である。図６（Ｂ）は、キー操作部５１の第１の状態における磁極の配置の一例を模
式的に示す図である。図６（Ｃ）は、キー操作部５１の第２の状態における磁極の配置の
一例を模式的に示す図である。なお、図６（Ｂ）、（Ｃ）では、説明のために開口部７の
端面７ａ、キー操作部５１の第１の部分５２及びキー操作部５１の第２の部分５３を分離
した状態にして示す。
【００８０】
携帯電話機１Ｅの構成について、説明する。
【００８１】
携帯電話機１Ｅは、下部筐体３に形成された矩形の開口部７にキー操作部５１が設けら
れる。開口部７は、左右方向に沿って形成された対向する１対の内周面７ａを有する。そ
れぞれの内周面７ａには、全面に軟鉄６１が設けられる。軟鉄６１は、接着剤などにより
内周面７ａに固定される。軟鉄６１は、外部磁場から磁化を受ける間のみ磁石となる一時
磁石の性質を有する。
【００８２】
キー操作部５１は、本発明の携帯端末機における入力部の一例である。キー操作部５１
は、左右方向に沿って形成された端面５２ｂ、５３ｂによって分けられた複数の部分から
なり、図６（Ａ）、（Ｂ）に示す第１の状態では上下方向に沿って上側に第１の部分５２
、下側に第２の部分５３を有する。キー操作部５１は、携帯電話機１Ｃにおけるキー操作
部３１と同様に、上下方向の大きさは開口部７の大きさと略同一であり、左右方向の大き
さは、第１の部分５２及び第２の部分５３ともに、開口部７の大きさよりも小さくなって
いる。そのため、携帯電話機１Ｅでは、左右方向が本発明の携帯端末機における一の方向
である。
【００８３】
第１の部分５２は、左右方向に沿って形成された端面５２ａ、５２ｂを有する。端面５
２ａは、開口部７の内周面７ａと対向する。端面５２ａには、全面に永久磁石６２ａが設
けられる。永久磁石６２ａは、接着剤などにより端面５２ａに固定される。図６（Ｂ）に
示すように、永久磁石６２ａは、内周面７ａ側がＮ極、端面５２ａ側がＳ極となっている
。
【００８４】
端面５２ｂは、第２の部分５３の端面５３ｂと対向する。端面５２ｂには、全面に永久
磁石６２ｂが設けられる。永久磁石６２ｂは、接着剤などにより端面５２ｂに固定される
。図６（Ｂ）に示すように、永久磁石６２ｂは、端面５２ｂ側がＮ極、第２の部分５３の
端面５３ｂ側がＳ極となっている。
【００８５】
第２の部分５３は、左右方向に沿って形成された端面５３ａ、５３ｂを有する。端面５
３ａは、開口部７の内周面７ａと対向する。端面５３ａには、全面に永久磁石６２ｃが設
けられる。永久磁石６２ｃは、接着剤などにより端面５３ａに固定される。図６（Ｂ）に
示すように、永久磁石６２ｃは、内周面７ａ側がＳ極、端面５３ａ側がＮ極となっている
。
【００８６】
端面５３ｂは、第１の部分５２の端面５２ｂと対向する。端面５３ｂには、全面に永久
磁石６２ｄが設けられる。永久磁石６２ｄは、接着剤などにより端面５３ｂに固定される
。図６（Ｂ）に示すように、永久磁石６２ｄは、端面５３ｂ側がＳ極、第１の部分５２の
端面５２ｂ側がＮ極となっている。
【００８７】
なお、永久磁石６２ａ〜６２ｄとしては、例えば、フェライト磁石又はアルニコ磁石等
を用いることができる。
【００８８】
これにより、キー操作部５１の第１の状態では、第１の部分５２は、軟鉄６１と磁石６
２ａとの間に生じる磁力によって、開口部７の内周面７ａに結合される。ここで、磁力と
は、磁石間で生じる引力及び斥力である。すなわち、磁石６２ａの磁界によって軟鉄６１
が磁化されて磁石となり、軟鉄６１と磁石６２ａとの間に引力が発生することで、軟鉄６
１と磁石６２ａとが結合する。これにより、第１の部分５２は、軟鉄６１及び磁石６２ａ
を介して、開口部７の内周面７ａに結合される。
【００８９】
同様にして、第２の部分５３は、軟鉄６１と磁石６２ｃとの間に生じる磁力によって、
開口部７の内周面７ａに結合される。
【００９０】
第１の部分５２と第２の部分５３とは、磁石６２ｂと磁石６２ｄとの間に生じる磁力に
よって結合される。すなわち、第１の部分５２と第２の部分５３との間では、磁石６２ｂ
のＳ極と磁石６２ｄのＮ極とが対向することで引力が発生し、磁石６２ｂと磁石６２ｄと
が結合する。これにより、第１の部分５２と第２の部分５３とは、磁石６２ｂ及び磁石６
２ｄを介して結合される。
【００９１】
携帯電話機１Ｅの動作について、説明する。
【００９２】
携帯電話機１Ｅにおいて、図６（Ａ）、（Ｂ）に示すキー操作部５１の第１の状態では
、例えば、第１の部分５２に左右方向の力を加えると、左右方向に沿って軟鉄６１と磁石
６２ａとの結合がずれ、また磁石６２ｂと磁石６２ｄとの結合がずれることで、第１の部
分５２は開口部７内を左右方向に沿って移動する。そして、第１の部分５２は、左右方向
の力を受けなくなると、開口部７と第２の部分５３との間に生じる磁力によって固定され
る。
【００９３】
第２の部分５３についても、同様である。
【００９４】
このようにして、キー操作部５１では、第１の部分５２と第２の部分５３とが左右方向
に沿って独立して移動可能となっている。
【００９５】
また、キー操作部５１は、第１の部分５２及び第２の部分５３の配置を変更可能となっ
ている。
【００９６】
図６（Ａ）、（Ｂ）に示すキー操作部５１の第１の状態において、第１の部分５２及び
第２の部分５３を開口部７から磁力に抗して取り外す。そして、開口部７において上下方
向に沿って上側に第２の部分５３を、下側に第１の部分５２を配置して、操作部５１を図
６（Ｃ）に示す第２の状態とする。この第２の状態においても、キー操作部５１では、第
１の部分５２及び第２の部分５３による磁極の配置が、上述した第１の状態と同一となっ
ている。そのため、第２の状態においても、上述した第１の状態と同様にして、第１の部
分５２及び第２の部分５３は、磁力によって開口部７に結合される。
【００９７】
そして、キー操作部５１では、第２の状態においても、上述した第１の状態と同様にし
て、第１の部分５２と第２の部分とが左右方向に沿って独立して移動可能となっている。
【００９８】
このように、キー操作部５１において、第１の部分５２と第２の部分５３とを左右方向
に沿って独立して移動可能とすることで、キー操作部５１の部分ごとに操作し易い位置に
することができるため、携帯電話機１Ｅの操作性が向上する。
【００９９】
また、キー操作部５１において、第１の部分５２と第２の部分５３との配置を変更可能
とすることで、キー操作部５１自体を操作し易い配置に変更することができるため、携帯
電話機１Ｅの操作性が向上する。
【０１００】
なお、携帯電話機１Ｅにおいて、開口部７の内周面７ａには軟鉄６１に代えて他の磁性
体を用いることが可能である。ただし、一時磁石の軟鉄６１を用いることで、第１の部分
５２と第２の部分５３との位置の入れ替えが容易となっている。また、内周面７ａに磁石
を設けると、磁力が強すぎたり磁極が同極となって反発したりすることがあるが、軟鉄６
１を用いることによってこれらを回避することができる。
【０１０１】
また、キー操作部５１を左右方向に沿って形成した端面によって、３つ以上の部分に分
けることも可能である。
【０１０２】
さらに、携帯電話機１Ｅの構成を、図５に示した本発明の第１実施の形態の第３変形態
様である携帯電話機１Ｄに適用して、携帯電話機１Ｄのキー操作部４１を開口部７の内周
面７ｃに磁力によって結合することも可能である。これによれば、キー操作部４１におい
て、第１の部分４２と第２の部分４３の位置を入れ替えて、配置を変更することが可能で
ある。
（第３実施の形態）
図７（Ａ）〜（Ｃ）を参照して、本発明の第３実施の形態である携帯電話機１Ｆについ
て、図１（Ａ）〜（Ｃ）に示した第１実施の形態の携帯電話機１Ａとの相違を中心に述べ
る。
【０１０３】
図７（Ａ）は、本発明の第３実施の形態の携帯電話機１Ｆの基本状態を示す斜視図であ
る。図７（Ｂ）は、携帯電話機１Ｆのキー操作部８が右側に開いた状態を示す図である。
図７（Ｃ）は、携帯電話機１Ｆのキー操作部８が左側に開いた状態を示す図である。
【０１０４】
携帯電話機１Ｆの構成について、説明する。
【０１０５】
携帯電話機１Ｆでは、開口部７は、左右方向に沿って形成された対向する１対の内周面
７ａのみを有する。すなわち、開口部７には、上下方向に沿って形成される内周面７ｃ（
図３参照）が設けられていない。
【０１０６】
開口部７の内周面７ａに形成された溝部７ｂ（図２（Ｃ）参照）は、下部筐体３の内面
６側に切欠部７１ａ、７１ｂを有する。切欠部７１ａ、７１ｂは、溝部７ｂに繋がってお
り、キー操作部８の端面８ａに設けられた突起８ｂ−１、８ｂ−２が通る大きさにされる
。切欠部７１ａ、７１ｂは、突起８ｂ−１、８ｂ−２の一方が溝部８ｂの左右方向に対す
る端部に配置された状態で、同じ端面８ａに設けられた突起８ｂ−１、８ｂ−２の他方が
位置する場所に対応して内面６に形成される。
【０１０７】
キー操作部８は、左右方向に沿って形成された開口部７の１対の内周面７ａと対向する
端面８ａを有する。端面８ａには、それぞれ左右方向に対して両端となる位置に、２つの
突起８ｂ−１、８ｂ−２が設けられる。
【０１０８】
キー操作部８は、赤外線通信又は無線通信などの非接触通信によって、回路基板１３（
図２（Ｂ）参照）と接続される。
【０１０９】
携帯電話機１Ｆの動作について、説明する。
【０１１０】
例えば、キー操作部８に右向きの力を加え、キー操作部８を開口部７における右端まで
移動させる。この状態では、キー操作部８の端面８ａに設けられた突起８ｂ−１が開口部
７の溝部７ｂの右端に配置され、突起８ｂ−２が切欠部７１ｂの位置となる。そのため、
切欠部７１ｂを通して突起８ｂ−２を溝部８ｂから外すことで、図７（Ｂ）に示すように
キー操作部８は突起８ｂ−１を中心として右回りに回転する。キー操作部８は、キー操作
部８が下部筐体３に接触する位置まで回転する。なお、開口部７に上下方向に沿って形成
される内周面が設けられていないことで、キー操作部８は、１８０度まで回転可能である
。
【０１１１】
このようにして、携帯電話機１Ｆでは、キー操作部８が右側に開いた状態となる。
【０１１２】
一方、キー操作部８に左向きの力を加え、キー操作部８を開口部７における左端まで移
動させると、この状態ではキー操作部８の端面８ａに設けられた突起８ｂ−２が開口部７
の溝部７ｂの左端に配置され、突起８ｂ−１が切欠部７１ａの位置となる。そのため、切
欠部７１ａを通して突起８ｂ−１を溝部８ｂから外すことで、図７（Ｃ）に示すようにキ
ー操作部８は突起８ｂ−２を中心として左回りに回転する。キー操作部８は、キー操作部
８が下部筐体３に接触する位置まで回転する。なお、開口部７に上下方向に沿って形成さ
れる内周面が設けられていないことで、キー操作部８は、１８０度まで回転可能である。
【０１１３】
このようにして、携帯電話機１Ｆでは、キー操作部８が左側に開いた状態となる。
【０１１４】
なお、キー操作部８が回転し、右側又は左側に開いた状態においても、非接触通信によ
ってキー操作部８と回路基板１３との接続は維持される。
【０１１５】
このように、キー操作部８を回転可能にすることによって、キー操作部８が開口部７か
ら開かれて、タッチパッド１１のほぼ全面が露出する。これにより、携帯電話機１Ｆの使
用に応じて、タッチパッド１１を主とする操作をことができるため、携帯電話機１Ｆの操
作性が向上する。なお、タッチパッド１１に代えてタッチパネルやキー操作部を設けるこ
とも可能であり、この場合であっても、キー操作部８の裏面側に設けたタッチパネルやキ
ー操作部のほぼ全面を用いて操作可能となることから、携帯電話機１Ｆの操作性が向上す
る。
【０１１６】
なお、携帯電話機１Ｆでは、キー操作部８と回路基板１３とを非接触通信で接続したが
、携帯電話機１Ａのようにフレキシブルケーブル１４（図２（Ａ）参照）によって接続す
ることも可能である。しかし、フレキシブルケーブル１４では、キー操作部８が回転した
際に外部に露出したり、キー操作部８の回転の障害となったりする場合があることから、
キー操作部８と回路基板１３とを非接触通信で接続することが好ましい。
【０１１７】
携帯電話機１Ｆでは、キー操作部８の回転によってキー操作部８の機能を変更させるこ
とができる。例えば、溝部８ｂにおいて左右方向に対する端部のそれぞれにスイッチが設
けられ、キー操作部８の突起８ｂ−１、８ｂ−２のそれぞれの側面に突出部が設けられる
。そして、突起８ｂ−１、８ｂ−２が溝部８ｂにおける左右方向に対する端部に配置され
て回転することで、キー操作部８が所定の回転角度に達したときに突起８ｂ−１、８ｂ−
２に設けられた突出部によってスイッチが押されて入るようにすることができる。所定の
回転角度としては、例えば１８０度である。
【０１１８】
そして、スイッチが入ることで、例えば、ゲームソフトが起動してキー操作部８の機能
をゲーム用に変更することができる。
【０１１９】
なお、キー操作部８の裏面８ｄに図示しないキー操作部、タッチパネル又はタッチパッ
ドなどの入力部を設け、キー操作部８を回転させてこの入力部を使用することも可能であ
る。
【０１２０】
上述した携帯電話機１Ｆでは、キー操作部８の端面８ａにおいて、左右方向に関する端
部に２つの突起８ｂ−１、８ｂ−２を設けたが、それぞれの端面８ａに３つ以上の突起を
設けることも可能である。その場合には、キー操作部８の回転の中心となる突起以外の突
起が溝部８ｂから外れるようにして、下部筐体３の内面６に切欠部を形成する。
【０１２１】
また、キー操作部８が回転可能となる位置は、図７（Ａ）〜（Ｃ）で示したような開口
部７の端部に限らず、切欠部の位置によって開口部７における所望の位置に設定すること
ができる。
（第１実施の形態の第４の変形態様）
携帯電話機１Ｇの動作について、簡単に説明する。詳細は図９の説明で述べる。図８は本発明の第１実施の形態の携帯電話機の第４の変形態様を示す斜視図である。開口部７に、さらに第２の開口部８２を備る。前記第２の開口部８２とジョイスティック（可動操作部）８１は、ジョイスティックの接続端子８６と電気的および機構的に接続される。第２の開口部の内部には携帯端末機１Ｇ側の接続端子を備える。
図９（Ａ）本発明の第１実施の形態の携帯電話機の第４の変形態様のジョイスティック用の開口部、すなわち第２の開口部８２を示す図である。第２の開口部８２は、開口部７に、さらに設けられている。図９（Ｂ）はジョイスティックの構成例を示す図である。
図９（Ｂ）において、ジョイスティック（可動操作部）８１の主要部はジョイスティックの保持部８３、ジョイスティックの支持部８４、ジョイスティックの平坦部８５、ジョイスティックの接続端子８６および電極部８７から構成される。保持部８３は支持部８４と一体となっており、使用者が操作する。平坦部８５は支持部８４を包みこむ様に形成され、ジョイスティックを円滑に動作及び保持すると共に、ジョイスティックの動きを電気信号に変換し、電極部８７へ出力する機能すなわち、圧電素子および弾性部材等を含んだ構成とする。次に、電極部８７からの電気信号を受けた携帯電話機１Ｇの制御部は、前記電気信号を処理し、前記ジョイスティック８１の動きに応じた表示または指示を表示部５へ表示する。
【０１２２】
図９（Ａ）では開口部７は、折り畳み筐体の操作部を含む筐体の右上隅に位置しているるが、任意の位置に、任意の数をもうけても良い。
【０１２３】
上記実施の形態では、折り畳み式構造の携帯電話機を一例として説明したが、本発明は
これに限定されず、他の形態の形態電話機や、ＰＤＡなどの携帯端末機に適用することが
可能である。
【図面の簡単な説明】
【０１２４】
【図１】本発明の第１実施の形態である携帯電話機の斜視図である。
【図２】図２（Ａ）は本発明の第１実施の形態の携帯電話機の部分分解図であり、図２（Ｂ）は図１のIIｂ−IIｂ断面図であり、図２（Ｃ）は図２（Ｂ）のIIｃ−IIｃ断面図である。
【図３】本発明の第１実施の形態の第１変形態様である携帯電話機の斜視図である。
【図４】図４（Ａ）は本発明の第１実施の形態の第２変形態様の携帯電話機の斜視図であり、図４（Ｂ）は図４（Ａ）におけるIVｂ−IVｂ断面図である。
【図５】本発明の第１実施の形態の第３変形態様の携帯電話機の斜視図である。
【図６】図６（Ａ）は本発明の第２実施の形態の携帯電話機における第１の状態を示す斜視図であり、図６（Ｂ）はキー操作部の第１の状態における磁極の配置の一例を模式的に示す図であり、図６（Ｃ）はキー操作部の第２の状態における磁極の配置の一例を模式的に示す図である。
【図７】図７（Ａ）は本発明の第３実施の形態の携帯電話機の基本状態を示す斜視図であり、図７（Ｂ）は携帯電話機のキー操作部が右側に開いた状態を示す図であり、図７（Ｃ）は携帯電話機のキー操作部が左側に開いた状態を示す図である。
【図８】図８は本発明の第１実施の形態の携帯電話機の第４の変形態様を示す斜視図である。
【図９】図９（Ａ）本発明の第１実施の形態の携帯電話機の第４の変形態様のジョイスティック用の開口部を示す図であり、図９（Ｂ）はジョイスティックの構成例を示す図である。
【符号の説明】
【０１２５】
１Ａ〜１Ｆ…携帯電話機、３…下部筐体、６…下部筐体の内面、７…開口部
７ａ…開口部の内周面、７ｂ…開口部の溝部、７ｃ…開口部の内周面
８…キー操作部（入力部）
８ａ…キー操作部の端面、８ｂ…突起、８ｃ…キー操作部の端面
１１…タッチパッド
２１…キー操作部
３１…キー操作部、３２…キー操作部の第１の部分、３３…キー操作部の第２の部分
４１…キー操作部、４２…キー操作部の第１の部分、４３…キー操作部の第２の部分
５１…キー操作部、５２…キー操作部の第１の部分、５３…キー操作部の第２の部分
６１…軟鉄、６２ａ〜６２ｄ…永久磁石
７１ａ、７１ｂ…切欠部
８１…ジョイスティック（可動操作部）
８２…第２の開口部（携帯端末機側の接続端子）
８３…ジョイスティックの保持部
８４…ジョイスティックの支持部
８５…ジョイスティックの平坦部
８６…ジョイスティックの接続端子
８７…電極部
【図１】
2009033700.tif 000003
【図２】
2009033700.tif 000004
【図３】
2009033700.tif 000005
【図４】
2009033700.tif 000006
【図５】
2009033700.tif 000007
【図６】
2009033700.tif 000008
【図７】
2009033700.tif 000009
【図８】
2009033700.tif 000010
【図９】
2009033700.tif 000011